(57)【要約】  【課題】圧縮機の外部はもちろん内部にも継電器を装備するため、非常に複雑な構成になるとともに、専用の圧縮機が必要となりコストが増大するという課題を有していた。  【解決手段】圧縮機２が運転状態にて庫内温度検知時間経過後、庫内温度センサー２０ａの検知温度が外気温毎に設定された比較温度以上の場合、圧縮機２を停止し再度運転させる制御部を構成することで、専用の圧縮機２を搭載することなく収納室１１内の温度を検知することにより瞬時停電による圧縮機２の逆回転運転を解除し信頼性を確保できる。【選択図】図１
2008217554.tif 000002
【特許請求の範囲】
【請求項１】
商品を収納する断熱構造の収納室と、前記収納室外に配置される圧縮機と凝縮器、および前記収納室の下部に配置される蒸発器にて構成され冷媒が循環される冷凍回路を備え、前記収納室内に冷気攪拌用の庫内ファンと前記収納室の温度を検知する収納室温度センサーを有する自動販売機の冷却装置において、前記圧縮機が運転状態にて一定時間経過後、前記収納室温度センサーの検知温度が一定温度以上の場合、前記圧縮機を停止し再度運転させる制御部から構成されたことを特徴とする自動販売機。
【請求項２】
前記凝縮器の温度を検知する凝縮器温度センサーを備え、前記圧縮機が運転状態にて一定時間経過後、前記凝縮器温度センサーの検知温度が一定温度以下の場合、前記圧縮機を停止し再度運転させる制御部から構成されたことを特徴とする請求項１に記載の自動販売機。
【請求項３】
前記蒸発器の温度を検知する蒸発器温度センサーを備え、前記圧縮機が運転状態にて一定時間経過後、前記蒸発器温度センサーの検知温度が一定温度以上の場合、前記圧縮機を停止し再度運転させる制御部から構成されたことを特徴とする請求項１または２に記載の自動販売機。
【請求項４】
外気温毎に一定温度を記憶した記憶部を備えたことを特徴とする請求項１から３のいずれか一項に記載の自動販売機。
【請求項５】
前記圧縮機を停止し再度運転を一定回数繰り返した場合、異常信号を出す制御部を備えたことを特徴とする請求項１から３のいずれか一項に記載の自動販売機。
【発明の詳細な説明】
【技術分野】
【０００１】
本発明は、商品収納装置に収納された商品を冷却または加温して商品を販売するようにした自動販売機に関し、圧縮機の瞬時停電による逆回転運転を解除する制御装置に関するものである。
【背景技術】
【０００２】
従来、この種の自動販売機の圧縮機逆回転運転を解除する制御装置として圧縮機の内部に設置された継電器が温度上昇を検知し圧縮機を停止する手段を採用しているものがあった（特許文献１参照）。
【０００３】
図１０は、特許文献１に記載された従来の圧縮機逆回転運転を解除する制御装置のブロック結線図である。図１０において、１は電源装置、２は圧縮機、３は運転用進相コンデンサ、４は電流と周囲温度に応動して連続的に開閉動作を行う第１の継電器、５は周囲温度に応動して連続的に開閉動作を行う第２の継電器、６は圧縮機モータの主巻線、７は圧縮機モータの補助巻線である。
【０００４】
瞬時停電による逆回転運転が発生した場合に於ける動作を説明する。運転中、圧縮機２の内部温度は徐々に上昇する。内部温度が一定温度以上になると第２の継電器５がオフし過大な温度上昇を抑制する。
【特許文献１】特開平９−２８４９９０号公報
【発明の開示】
【発明が解決しようとする課題】
【０００５】
しかしながら、前記従来の構成では、圧縮機の外部はもちろん内部にも継電器を装備するため、非常に複雑な構成になるとともに、専用の圧縮機が必要となりコストが大となるという問題があった。
【０００６】
本発明は、上記従来の課題を解決するもので、冷凍回路の温度を検知することにより瞬時停電による圧縮機の逆回転運転を解除できる自動販売機を提供することを目的とする。
【課題を解決するための手段】
【０００７】
前記従来の課題を解決するために、本発明の自動販売機は、商品を収納する断熱構造の収納室と、前記収納室外に配置される圧縮機と凝縮器、および前記収納室の下部に配置される蒸発器にて構成され冷媒が循環される冷凍回路を備え、前記収納室内に冷気攪拌用の庫内ファンと前記収納室の温度を検知する収納室温度センサーを有する自動販売機の冷却装置において、前記圧縮機が運転状態にて一定時間経過後、前記収納室温度センサーの検知温度が一定温度以上の場合、前記圧縮機を停止し再度運転させる制御部を構成することで、専用の圧縮機を搭載することなく圧縮機の逆回転運転を解除し信頼性を確保できる。
【０００８】
また、前記凝縮器の温度を検知する凝縮器温度センサーを備え、前記圧縮機が運転状態にて一定時間経過後、前記凝縮器温度センサーの検知温度が一定温度以下の場合、前記圧縮機を停止し再度運転させる制御部を構成することで、専用の圧縮機を搭載することなく圧縮機の逆回転運転を早期に解除し信頼性を確保できる。
【０００９】
また、前記蒸発器の温度を検知する蒸発器温度センサーを備え、前記圧縮機が運転状態にて一定時間経過後、前記蒸発器温度センサーの検知温度が一定温度以上の場合、前記圧縮機を停止し再度運転させる制御部を構成することで、専用の圧縮機を搭載することなく圧縮機の逆回転運転を早く正確に解除し信頼性を確保できる。
【００１０】
また、外気温毎に一定温度を記憶した記憶部を備えることで、外気温毎に最適な解除温度を設定でき、専用の圧縮機を搭載することなく圧縮機の逆回転運転を早く正確に解除し信頼性を確保できる。
【００１１】
また、圧縮機を停止し再度運転を一定回数繰り返した場合、異常信号を出す制御部を備えることで瞬時停電による圧縮機の逆回転運転以外の異常を早期に通知し構成部品を保護できる。
【発明の効果】
【００１２】
本発明の自動販売機は、専用の圧縮機を搭載することなく収納室内の温度を検知することにより瞬時停電による圧縮機の逆回転運転を解除し信頼性を確保できる。
【００１３】
また、凝縮器温度を検知することにより瞬時停電による圧縮機の逆回転運転を解除し信頼性を確保できる。
【００１４】
また、蒸発器温度を検知することにより精度よく早期に圧縮機の逆回転運転を解除し信頼性を確保できる。
【００１５】
また、外気温毎に最適な解除温度を設定でき、より精度ＵＰを行えて誤検知を防止できる。
【００１６】
また、瞬時停電による圧縮機の逆回転運転以外のガス漏れ等の異常状態も検知でき、異常信号により早期に通知でき、構成部品の保護も可能となる。
【発明を実施するための最良の形態】
【００１７】
請求項１に記載の発明は、商品を収納する断熱構造の収納室と、前記収納室外に配置される圧縮機と凝縮器、および前記収納室の下部に配置される蒸発器にて構成され冷媒が循環される冷凍回路を備え、前記収納室内に冷気攪拌用の庫内ファンと前記収納室の温度を検知する温度センサーを有する自動販売機の冷却装置において、前記圧縮機が運転状態にて一定時間経過後、前記収納室温度センサーの検知温度が一定温度以上の場合、前記圧縮機を停止し再度運転させる制御部を構成することで、専用の圧縮機を搭載することなく収納室内の温度を検知することにより瞬時停電による圧縮機の逆回転運転を解除し信頼性を確保できる。
【００１８】
請求項２に記載の発明は、前記凝縮器の温度を検知する凝縮器温度センサーを備え、前記圧縮機が運転状態にて一定時間経過後、前記凝縮器温度センサーの検知温度が一定温度以下の場合、前記圧縮機を停止し再度運転させる制御部を構成することで、専用の圧縮機を搭載することなく収納室内の温度を検知することにより瞬時停電による圧縮機の逆回転運転を解除し信頼性を確保できる。
【００１９】
請求項３に記載の発明は、前記蒸発器の温度を検知する蒸発器温度センサーを備え、前記圧縮機が運転状態にて一定時間経過後、前記蒸発器温度センサーの検知温度が一定温度以上の場合、前記圧縮機を停止し再度運転させる制御部を構成することで、より精度よく早期に圧縮機の逆回転運転を解除し信頼性を確保できる。
【００２０】
請求項４に記載の発明は、外気温毎に一定温度を記憶した記憶部を構成することで、外気温毎に最適な解除温度を設定でき、より精度ＵＰを行うことができ誤検知を防止できる。
【００２１】
請求項５に記載の発明は、前記圧縮機を停止し再度運転を一定回数繰り返した場合、異常信号を出す制御部を構成することで、瞬時停電による圧縮機の逆回転運転以外のガス漏れ等の異常状態も検知でき、異常信号により早期に通知でき、構成部品の保護も可能となる。
【００２２】
（実施の形態１）
図１は、本発明の実施の形態１による自動販売機に使用されている冷却装置の冷凍回路を概念的に示す図である。図２は、本発明の実施の形態１による自動販売機のブロック図である。図３は、同実施の形態の動作を示すフローチャートである。
【００２３】
図１において収納室１１は断熱壁で囲われた庫室であり商品を収納できる。収納室１１には蒸発器１２が配置されおり、庫内ファン１３により空気を循環させ商品を温度のバラツキなく冷却または加温する。
【００２４】
庫外には、圧縮機２と補助凝縮器１４と凝縮器１５とドライヤー１６と電磁弁１７と逆止弁１８とアキュムレーター１９が配置されている。そして圧縮機２と補助凝縮器１４と凝縮器１５とドライヤー１６と電磁弁１７とキャピラリ銅パイプと蒸発器１２と逆止弁１８とアキュムレーター１９が順次配管で接続され冷凍回路が構成されている。
【００２５】
以上のように構成された自動販売機についてその動作を説明する。
【００２６】
収納室１１に収納された商品を冷却する場合、圧縮機２の運転を行い、電磁弁１７をオンすることにより蒸発器１２が冷却され、庫内ファン１３により空気を循環させ商品を温度のバラツキなく冷却する。その時、圧縮機２と電磁弁１７の制御は庫内温度センサー２０ａで検知された温度により制御部２１ａにより制御される。
【００２７】
なお、収納室１１には加温ヒータ２２が設けられており、加温設定の場合は加温ヒータ２２に通電され圧縮機２と電磁弁１７は停止される。
【００２８】
図２において、制御部２１ａは圧縮機２と電磁弁１７と加温ヒータ２２と圧縮機２が運転開始からの時間を計測するタイマー２３と庫内温度センサー２０ａとが接続され、圧縮機２と電磁弁１７と加温ヒータ２２を制御する。記憶部２４ａは制御部２１ａに接続され、圧縮機２が運転開始し庫内温度センサー２０ａが収納室１１内の温度を検知するまでの時間（庫内温度検知時間Ａ）と、外気温毎に設定され検知した収納室内温度ｔ１と比較する比較温度Ｔ１を記憶する。また、制御部２１ａはタイマー２３で計測した時間が庫内温度検知時間Ａ経過後に庫内温度センサー２０ａにより収納室１１内の収納室内温度ｔ１が比較温度Ｔ１より高ければ圧縮機２を一時停止し再度運転を行う制御をする。
【００２９】
以上のように構成された自動販売機について図３でその動作を説明する。
【００３０】
ＳＴＥＰ１では、圧縮機２が運転開始してから庫内温度センサー２０ａが収納室１１内の温度を検知するまでの時間（庫内温度検知時間Ａ）と、庫内温度センサー２０ａが検知した収納室内温度と比較する比較温度Ｔ１を設定する。
【００３１】
ＳＴＥＰ２では、圧縮機２が停止であれば再度ＳＴＥＰ２へ戻る。また、圧縮機２が運転中であれば、ＳＴＥＰ３にてタイマー２３の計測時間ａを０に設定し、計測を開始する。
【００３２】
ＳＴＥＰ４では、タイマー２３で計測した時間ａがＳＴＥＰ１で設定した庫内温度検知時間Ａ以下と判断したとき再度ＳＴＥＰ４に戻り、時間ａが庫内温度検知時間Ａを越えたと判断したときＳＴＥＰ５で庫内温度センサー２０ａにより収納室内温度ｔ１を検知する。
【００３３】
ＳＴＥＰ６では、検知した収納室内温度ｔ１がＳＴＥＰ１で設定した比較温度Ｔ１以下の場合運転を継続し、比較温度Ｔ１より高い場合ＳＴＥＰ７にて一時圧縮機２を停止し、再度運転を開始する。
【００３４】
このように構成された自動販売機は、圧縮機２が運転状態にて庫内温度検知時間Ａ経過後、庫内温度センサー２０ａの検知温度が外気温毎に設定された比較温度Ｔ１以上の場合、圧縮機２を停止し再度運転させる制御部２１ａを構成することで、専用の圧縮機２を搭載することなく収納室１１内の温度を検知することにより瞬時停電による圧縮機２の逆回転運転を解除し信頼性を確保できる。
【００３５】
（実施の形態２）
図４は、本発明の実施の形態２による自動販売機のブロック図である。図５は、同実施の形態の動作を示すフローチャートである。
【００３６】
図１において、凝縮器温度センサー２０ｂは凝縮器１５に取付られ、凝縮器１５の温度を検知する。
【００３７】
図４において、制御部２１ｂは圧縮機２と電磁弁１７と加温ヒータ２２と圧縮機２が運転開始からの時間を計測するタイマー２３と庫内温度センサー２０ａと凝縮器温度センサー２０ｂが接続され、圧縮機２と電磁弁１７と加温ヒータ２２を制御する。記憶部２４ｂは制御部２１ｂに接続され、圧縮機２が運転開始し凝縮器温度センサー２０ｂが凝縮器１５の温度を検知するまでの時間（凝縮器温度検知時間Ｂ）と、外気温毎に設定され検知した凝縮器温度ｔ２と比較する比較温度Ｔ２を記憶する。また、制御部２１ｂは、タイマー２３で計測した時間が凝縮器温度検知時間Ｂ経過後に凝縮器温度センサー２０ｂにより凝縮器１５の温度ｔ２が比較温度Ｔ２より低ければ圧縮機２を一時停止し再度運転を行う制御をする。
【００３８】
以上のように構成された自動販売機について図５でその動作を説明する。
【００３９】
ＳＴＥＰ１では、圧縮機２が運転開始してから凝縮器温度センサー２０ｂが凝縮器１５の温度を検知するまでの時間（凝縮器温度検知時間Ｂ）と、凝縮器温度センサー２０ｂが検知した凝縮器温度ｔ２と比較する比較温度Ｔ２を設定する。
【００４０】
ＳＴＥＰ２では、圧縮機２が停止であれば再度ＳＴＥＰ２へ戻る。また、圧縮機２が運転中であれば、ＳＴＥＰ３にてタイマー２３の計測時間ｂを０に設定し、計測を開始する。
【００４１】
ＳＴＥＰ４では、タイマー２３で計測した時間ｂがＳＴＥＰ１で設定した凝縮器温度検知時間Ｂ以下と判断したとき再度ＳＴＥＰ４に戻り、時間ｂが凝縮器温度検知時間Ｂを越えたと判断したときＳＴＥＰ５で凝縮器温度センサー２０ｂにより凝縮器温度ｔ２を検知する。
【００４２】
ＳＴＥＰ６では、検知した凝縮器温度ｔ２がＳＴＥＰ１で設定した比較温度Ｔ２以上の場合運転を継続し、比較温度Ｔ２より低い場合ＳＴＥＰ７にて一時圧縮機２を停止し、再度運転を開始する。
【００４３】
このように構成された自動販売機は、圧縮機２が運転状態にて凝縮器温度検知時間Ｂ経過後、凝縮器温度センサー２０ｂの検知温度が外気温毎に設定された比較温度Ｔ２以下の場合、圧縮機２を停止し再度運転させる制御部２１ｂを構成することで、専用の圧縮機２を搭載することなく凝縮器１５の温度を検知することにより瞬時停電による圧縮機２の逆回転運転を解除し信頼性を確保できる。
【００４４】
（実施の形態３）
図６は、本発明の実施の形態３による自動販売機のブロック図である。図７は、同実施の形態の動作を示すフローチャートである。
【００４５】
図６において、制御部２１ｃは圧縮機２と電磁弁１７と加温ヒータ２２と圧縮機２が運転開始からの時間を計測するタイマー２３と庫内温度センサー２０ａと蒸発器温度センサー２０ｃが接続され、圧縮機２と電磁弁１７と加温ヒータ２２を制御する。記憶部２４ｃは制御部２１ｃに接続され、圧縮機２が運転開始し蒸発器温度センサー２０ｃが蒸発器１２の温度を検知するまでの時間（蒸発器温度検知時間Ｃ）と、外気温毎に設定され検知した蒸発器温度ｔ３と比較する比較温度Ｔ３を記憶する。
【００４６】
また、制御部２１ｃは、タイマー２３で計測した時間が蒸発器温度検知時間Ｃ経過後に蒸発器温度センサー２０ｃにより蒸発器１２の温度ｔ３が比較温度Ｔ３より高ければ圧縮機２を一時停止し再度運転を行う制御をする。
【００４７】
以上のように構成された自動販売機について図７でその動作を説明する。
【００４８】
ＳＴＥＰ１では、圧縮機２が運転開始してから蒸発器温度センサー２０ｃが蒸発器１２の温度を検知するまでの時間（蒸発器温度検知時間Ｃ）と、蒸発器温度センサー２０ｃが検知した蒸発器温度ｔ３と比較する比較温度Ｔ３を設定する。
【００４９】
ＳＴＥＰ２では、圧縮機２が停止であれば再度ＳＴＥＰ２へ戻る。また、圧縮機２が運転中であれば、ＳＴＥＰ３にてタイマー２３の計測時間ｃを０に設定し、計測を開始する。
【００５０】
ＳＴＥＰ４では、タイマー２３で計測した時間ｃがＳＴＥＰ１で設定した蒸発器温度検知時間Ｃ以下と判断したとき再度ＳＴＥＰ４に戻り、時間ｃが蒸発器温度検知時間Ｃを越えたと判断したときＳＴＥＰ５で蒸発器温度センサー２０ｃにより蒸発器温度ｔ３を検知する。
【００５１】
ＳＴＥＰ６では、検知した蒸発器温度ｔ３がＳＴＥＰ１で設定した比較温度Ｔ３以下の場合運転を継続し、比較温度Ｔ３より高い場合ＳＴＥＰ７にて一時圧縮機２を停止し、再度運転を開始する。
【００５２】
このように構成された自動販売機は、圧縮機２が運転状態にて蒸発器温度検知時間Ｃ経過後、蒸発器温度センサー２０ｃの検知温度が外気温毎に設定された比較温度Ｔ３以上の場合、圧縮機２を停止し再度運転させる制御部２１ｃを構成することで、専用の圧縮機２を搭載することなく蒸発器１２の温度を検知することにより、より確実に瞬時停電による圧縮機２の逆回転運転を解除し信頼性を確保できる。
【００５３】
（実施の形態４）
図８は、本発明の実施の形態４による自動販売機のブロック図である。図９は、同実施の形態の動作を示すフローチャートである。
【００５４】
図８において、制御部２１ｄは圧縮機２と電磁弁１７と加温ヒータ２２と圧縮機２が運転開始からの時間を計測するタイマー２３と庫内温度センサー２０ａと蒸発器温度センサー２０ｃが接続され、圧縮機２と電磁弁１７と加温ヒータ２２を制御する。記憶部２４ｄは制御部２１ｄに接続され、圧縮機２が運転開始し蒸発器温度センサー２０ｃが蒸発器１２の温度を検知するまでの時間（蒸発器温度検知時間Ｃ）と、外気温毎に設定され検知した蒸発器温度ｔ３と比較する比較温度Ｔ３を記憶する。
【００５５】
また、制御部２１ｄは、タイマー２３で計測した時間が蒸発器温度検知時間Ｃ経過後に蒸発器温度センサー２０ｃにより蒸発器１２の温度ｔ３が比較温度Ｔ３より高ければ圧縮機２を一時停止し再度運転を行い、圧縮機２の制御運転回数ｇが設定された圧縮機運転制御回数Ｇ以上の場合、異常信号を出す制御をする。また、記憶部２４ｄには、圧縮機運転制御回数Ｇを記憶する。
【００５６】
以上のように構成された自動販売機について図９でその動作を説明する。
【００５７】
ＳＴＥＰ１では、圧縮機２が運転開始してから蒸発器温度センサー２０ｃが蒸発器１２の温度を検知するまでの時間（蒸発器温度検知時間Ｃ）と、蒸発器温度センサー２０ｃが検知した蒸発器温度ｔ３と比較する比較温度Ｔ３と、圧縮機２が制御される圧縮機運転制御回数Ｇを設定する。
【００５８】
ＳＴＥＰ２では、圧縮機２が停止であれば再度ＳＴＥＰ２へ戻る。また、圧縮機２が運転中であれば、ＳＴＥＰ３にて制御運転回数ｇを０に設定する。
【００５９】
ＳＴＥＰ４では、タイマー２３の計測時間ｃを０に設定し、計測を開始する。
【００６０】
ＳＴＥＰ５では、タイマー２３で計測した時間ｃがＳＴＥＰ１で設定した蒸発器温度検知時間Ｃ以下と判断したとき再度ＳＴＥＰ５に戻り、時間ｃが蒸発器温度検知時間Ｃを越えたと判断したときＳＴＥＰ６で蒸発器温度センサー２０ｃにより蒸発器温度ｔ３を検知する。
【００６１】
ＳＴＥＰ７では、検知した蒸発器温度ｔ３がＳＴＥＰ１で設定した比較温度Ｔ３以下の場合運転を継続し、比較温度Ｔ３より高い場合ＳＴＥＰ８にて一時圧縮機２を停止し、再度運転を開始する。
【００６２】
ＳＴＥＰ９では、制御運転回数ｇに１を加算する。ＳＴＥＰ１０では、制御運転回数ｇが圧縮機運転回数Ｇ以下の場合、ＳＴＥＰ４に戻り、制御運転回数ｇが圧縮機運転回数Ｇより多い場合、ＳＴＥＰ１１にて異常信号を出す。
【００６３】
このように構成された自動販売機は、圧縮機２が運転状態にて蒸発器温度検知時間Ｃ経過後、蒸発器温度センサー２０ｃの検知温度が外気温毎に設定された比較温度Ｔ３以上の場合、圧縮機２を停止し再度運転させ、再度運転制御が設定回数を超えた場合異常信号を出す制御部２１ｄを構成することで、専用の圧縮機２を搭載することなく蒸発器１２の温度を検知することにより、より確実に瞬時停電による圧縮機２の逆回転運転を解除し信頼性を確保するとともに、ガスリーク等の異常状態も検知できる。
【産業上の利用可能性】
【００６４】
以上のように、本発明にかかる自動販売機は、瞬時停電による圧縮機の逆回転運転を解除し信頼性を確保できるので、圧縮機を有する冷却システム装置を搭載するあらゆる機器に適用することができる。
【図面の簡単な説明】
【００６５】
【図１】本発明の実施の形態１における自動販売機の冷却装置の冷凍回路図
【図２】本発明の実施の形態１における自動販売機のブロック図
【図３】本発明の実施の形態１の動作を示すフローチャート
【図４】本発明の実施の形態２における自動販売機のブロック図
【図５】本発明の実施の形態２の動作を示すフローチャート
【図６】本発明の実施の形態３における自動販売機のブロック図
【図７】本発明の実施の形態３の動作を示すフローチャート
【図８】本発明の実施の形態４における自動販売機のブロック図
【図９】本発明の実施の形態４の動作を示すフローチャート
【図１０】従来の圧縮機逆回転運転を解除する制御装置のブロック結線図
【符号の説明】
【００６６】
２    圧縮機
１１  収納室
１２  蒸発器
１３  庫内ファン
１５  凝縮器
２０ａ  庫内温度センサー（収納室温度センサー）
２０ｂ  凝縮器温度センサー
２０ｃ  蒸発器温度センサー
２１ａ，２１ｂ，２１ｃ，２１ｄ  制御部
２４ａ，２４ｂ，２４ｃ，２４ｄ  記憶部
【図１】
2008217554.tif 000003
【図２】
2008217554.tif 000004
【図３】
2008217554.tif 000005
【図４】
2008217554.tif 000006
【図５】
2008217554.tif 000007
【図６】
2008217554.tif 000008
【図７】
2008217554.tif 000009
【図８】
2008217554.tif 000010
【図９】
2008217554.tif 000011
【図１０】
2008217554.tif 000012